(57)【要約】【課題】キャップと軸筒などの二部品間の嵌合係止に、安定した嵌合作用を長期にわたって発揮させることができる筆記具を提供すること。【解決手段】  キャップ部材４１内には内キャップ４６と内キャップリング４７の結合体が収容され、内キャップと内キャップリングとの間に形成された環状の取り付け凹部４７ｂ内に沿って、ガータースプリング４８が取り付けられている。一方、軸筒２の側面における軸対称の位置に一対の軸飾り２１が取り付けられ、それぞれの軸飾りに形成された面取り部２１ａと前記軸筒２との間に、前記ガータースプリング４８が係止する係止凹部２１ａが形成されている。【選択図】図２
2019195954.tif 000002
【特許請求の範囲】
【請求項１】
軸筒もしくは芯ケースを含む第１部品と、前記第１部品の外側に被せるキャップ部材もしくはノックカバーを含む第２部品とを備えた筆記具であって、
前記第１部品の外周面または第２部品の内周面には、コイルばねの両端部が結合されて環状になされたガータースプリング（環状スプリング）が取り付けられると共に、前記第２部品の内周面または第１部品の外周面には、前記ガータースプリングの少なくとも一部に係止することができる係止凹部が形成され、
前記ガータースプリングと前記係止凹部との間で、前記第１部品と第２部品が着脱可能に取り付けられることを特徴とする筆記具。
【請求項２】
前記第１部品は軸筒、前記第２部品はキャップ部材であり、前記キャップ部材内には内キャップと内キャップリングの結合体が収容され、前記内キャップと内キャップリングとの間に形成された環状の取り付け凹部内に沿って、前記ガータースプリングが取り付けられ、前記内キャップの後端部における外周面には雄ねじが施され、前記内キャップリングの前端部内周面に雌ねじが施されて、内キャップの雄ねじと内キャップリングの雌ねじが螺合されて両者が結合されると共に、前記内キャップリングに形成された内径が拡大された段差部と、内キャップの後端部との間で、前記環状の取り付け凹部が形成されていることを特徴とする請求項１に記載の筆記具。
【請求項３】
前記軸筒の側面には軸飾りが取り付けられ、前記軸飾りに形成された面取り部と前記軸筒との間に、前記ガータースプリングが係止する係止凹部が形成され、前記軸飾りは、前記軸筒の側面における軸対称の位置にそれぞれ配置され、それぞれの軸飾りに形成された前記面取り部と前記軸筒との間に、前記係止凹部が軸筒の周方向に沿って間欠的に形成されていることを特徴とする請求項１または請求項２に記載の筆記具。
【発明の詳細な説明】
【技術分野】
【０００１】
この発明は、着脱可能な二部品、例えばキャップと軸筒、またはノックカバー（消しゴムカバー）と芯ケースとの間などにおける嵌合係止構造に特徴を有する筆記具に関する。
【背景技術】
【０００２】
筆記具における着脱が繰り返される例えばキャップと軸筒との間には、突起やアンダーカット、ダボなどを用いた凹凸や凸凸などの組み合わせによる嵌合係止構造が広く用いられている。
そして、販売個数の多い比較的低価格帯の筆記具においては、前記キャップや軸筒は、樹脂素材を用いた射出成形によるものが多い。したがって、着脱が繰り返されるごとに嵌合係止部分を形成する突起やアンダーカット部分の摩耗が進行し、嵌合力が除々に低下すると共に、嵌合部分の摩耗により表面品質も低下する（外観が見苦しくなる）などの問題を有している。
【０００３】
また、例えばキャップの内周面に沿ってドラム状の板ばね（カツラ部材）を備え、この板ばねの弾性を利用して、軸筒に対してキャップを弾性嵌合させる嵌合係止構造が、特許文献１に開示されている。
このドラム状の板ばねを備えた嵌合係止構造は、キャップの内周面側に膨出する短冊状部材の弾性を利用して、軸筒に対して嵌合係止するものであるため、板ばねの素材や寸法形状の誤差により、嵌合力にばらつきが生じ易いという問題を有している。
【０００４】
さらに、キャップと軸筒との間の嵌合係止部分にＯリングを備えることで、Ｏリングの弾性を利用して軸筒に対するキャップの緩みや脱落を防止させる嵌合係止構造が、特許文献２および特許文献３に開示されている。
このＯリングを備えた嵌合係止構造によると、Ｏリングを構成するゴム素材の劣化を受けて数年程度で嵌合係止の機能が喪失し易く、ゴム素材の破断により嵌合係止が不可能になる等の問題も有している。
【先行技術文献】
【特許文献】
【０００５】
【特許文献１】特開２０１３−５２５８９号公報
【特許文献２】特開２００６−５６２０９号公報
【特許文献３】特開２００９−６１６３０号公報
【発明の開示】
【発明が解決しようとする課題】
【０００６】
ところで、前記したキャップと軸筒などの二部品間の嵌合係止構造に、前記したドラム状の板ばね（カツラ部材）や、Ｏリングを利用したものにおいては、その着脱操作にクリック感が少なく、操作にめりはりのない感触を受けるものとなる。
また、嵌合係止される二部品は、基本的には共に円柱状の外面と円筒状の内面を有するものの組み合わせに限られるものとなる。
【０００７】
この発明は、キャップと軸筒などの二部品間の嵌合係止に、前記したドラム状の板ばねやＯリングを利用した従来の筆記具の問題点に着目してなされたものであり、前記二部品間の着脱に際して、安定した嵌合作用を長期にわたって発揮させることができる嵌合係止構造を有する筆記具を提供しようとするものである。
また、二部品間の着脱操作に際して、程よいクリック感が得られると共に、円形以外の異形状の外面または内面を有する二部品間の嵌合係止にも好適に利用することができる筆記具を提供することを主要な課題とするものである。
【課題を解決するための手段】
【０００８】
前記した課題を解決するためになされたこの発明に係る筆記具は、着脱可能な二部品の嵌合係止構造として、軸筒もしくは芯ケースを含む第１部品と、前記第１部品の外側に被せるキャップ部材もしくはノックカバーを含む第２部品とを備えた筆記具であって、前記第１部品の外周面または第２部品の内周面には、コイルばねの両端部が結合されて環状になされたガータースプリング（環状スプリング）が取り付けられると共に、前記第２部品の内周面または第１部品の外周面には、前記ガータースプリングの少なくとも一部に係止することができる係止凹部が形成され、前記ガータースプリングと前記係止凹部との間で、前記第１部品と第２部品が着脱可能に取り付けられることを特徴とする。
【０００９】
この場合、好ましい形態においては、前記第１部品は軸筒、前記第２部品はキャップ部材であり、前記キャップ部材内には内キャップと内キャップリングの結合体が収容され、前記内キャップと内キャップリングとの間に形成された環状の取り付け凹部内に沿って、前記ガータースプリングが取り付けられる。
【００１０】
さらに好ましくは、前記内キャップの後端部における外周面には雄ねじが施され、前記内キャップリングの前端部内周面に雌ねじが施されて、内キャップの雄ねじと内キャップリングの雌ねじが螺合されて両者が結合されると共に、前記内キャップリングに形成された内径が拡大された段差部と、内キャップの後端部との間で、前記環状の取り付け凹部が形成された構成が採用される。
【００１１】
一方、前記軸筒の側面には軸飾りが取り付けられ、前記軸飾りに形成された面取り部と前記軸筒との間に、前記ガータースプリングが係止する係止凹部が形成される。この場合、好ましくは、前記軸飾りは前記軸筒の側面における軸対称の位置にそれぞれ配置され、それぞれの軸飾りに形成された前記面取り部によって、一対の係止凹部が軸筒の周方向に沿って間欠的に形成した構成とすることが望ましい。
【発明の効果】
【００１２】
前記したこの発明に係る筆記具によると、軸筒などの第１部品と、この第１部品の外側に被せるキャップ部材などの第２部品を備えた筆記具において、一方の部品にはコイルばねの両端部が結合されて環状になされたガータースプリングが取り付けられ、他方の部品にはガータースプリングの係止凹部が形成されるので、第１および第２部品は、前記ガータースプリングを介して着脱可能に取り付けることができる。
【００１３】
筆記具の軸筒とキャップ部材などのように、二部品間の嵌合係止部分にガータースプリングを用いることで、ガータースプリングの持つ耐久性に優れた安定した嵌合作用を発揮させることが可能であり、さらに二部品の着脱に際して、程よいクリック感が発生することで、操作上において良好な感触を得ることができる。これにより、質の高い高級感に優れた筆記具を提供することに寄与できる。
さらに、ガータースプリングは、円形以外の異形状の外面または内面に対して、柔軟に変形して二部品間の嵌合係止に寄与することができるので、異形状の外面または内面を有する筆記具の嵌合係止部分に好適に採用することができる。
【図面の簡単な説明】
【００１４】
【図１】この発明を採用したボールペン筆記具の外観構成を示した斜視図である。
【図２】図１に示す筆記具の軸線方向に沿った断面図であり、（Ａ）および（Ｂ）は互いに９０度軸回転させた状態におけるそれぞれの中央断面図である。
【図３】図２（Ｂ）におけるＵ−Ｕ線より矢印方向に見た拡大断面図である。
【図４】図２（Ａ）におけるガータースプリング付近の部分拡大断面図である。
【図５】図１に示す筆記具のキャップユニット部分を一部破断状態で示した斜視図である。
【図６】図１に示す筆記具を部品単位で分解した展開図である。
【図７】図６に示す各部品をそれぞれ断面図で示した展開図である。
【図８】キャップユニットの全体構成を示した断面図である。
【図９】クリップが開いた状態におけるキャップユニットの全体構成を示した断面図である。
【図１０】キャップ部材の部品構成を示し、（Ａ）は斜視図、（Ｂ）は中央断面図、（Ｃ）は天部側から見た正面図である。
【図１１】天冠の部品構成を示し、（Ａ）は斜視図、（Ｂ）側面図、（Ｃ）は視点を変えた斜視図である。
【図１２】クリップの部品構成を示し、（Ａ）は斜視図、（Ｂ）側面図、（Ｃ）は取り付け脚部側から見た正面図である。
【図１３】ブッシュ材の部品構成を示し、（Ａ）は斜視図、（Ｂ）は正面図、（Ｃ）は側面図である。
【図１４】止めリングの部品構成を示し、（Ａ）は斜視図、（Ｂ）は視点を変えた斜視図、（Ｃ）は平面図、（Ｄ）は中央断面図である。
【図１５】内キャップユニットを示し、（Ａ）は斜視図、（Ｂ）は視点を変えた斜視図、（Ｃ）は平面図、（Ｄ）は中央断面図である。
【図１６】カツラ部材の部品構成を示し、（Ａ）は斜視図、（Ｂ）は側面図、（Ｃ）は正面図である。
【図１７】ウェーブスプリングの一例を示した斜視図である。
【発明を実施するための形態】
【００１５】
この発明に係る筆記具について、これをボールペン筆記具に採用した実施の形態に基づいて説明する。
なお、以下に示す各図においては、同一部分を同一符号で示しているが、一部の図面においては紙面の都合で代表的な部分に符号を付けて、その詳細ついては、各部品単位で示したそれぞれの図に付けた符号を引用して説明することもある。
【００１６】
このボールペン筆記具１は、図１および図２に全体構成で示したとおり、軸筒２内にボールペンリフィール３が収容されると共に、軸筒２の口先部から突出したボールペンリフィール３の先端筆記部（ボールペンチップ）３ａを覆うようにして、クリップ等を備えたキャップユニット４が、軸筒２に対して着脱可能に取り付けられている。
【００１７】
前記軸筒２は、図６および図７にも示されているように、その前端部は緩やかな先細りとなるように形成されており、軸筒２の側面における軸対称の位置（軸筒２の周方向に沿った１８０度の位置）には、軸筒２の長手方向に沿って一対の軸飾り２１が、それぞれ取り付けられている。
すなわち、軸筒２の外周面は両外側に取り付けられる一対の軸飾り２１の厚みに相当する分が、予めそぎ落とされて成形されており、前記一対の軸飾り２１が軸筒２の長手方向に沿って取り付けられることによって、全体が円柱状に、また前端部付近は緩やかな先細りの円柱状となるように構成されている。
【００１８】
前記ボールペンリフィール３は、インク収容管が金属素材により形成されて、その前端部側は細く成形されており、この細く成形された先端部にボールペンチップ３ａが取り付けられている。そして、ボールペンリフィール３の後端部側には、樹脂製のリフィール尾栓３ｂが取り付けられて、インク収容管が閉塞されている。
この、ボールペンリフィール３には、前端部側の細く成形された部分に、リフィールスプリング３１が装着された状態で、軸筒２内に収容されている。
【００１９】
一方、前記した軸筒２の後端部には、ボールペンリフィール３を収容した状態において、リング状のシール材２２を介して、内尾栓２３が軸筒２に捩じ込まれて取り付けられ、内尾栓２３の後端に形成された太径部に、尾栓２４が嵌め込まれることで、軸筒２に対して尾栓２４が軸方向で面一となるように構成されている。なお、尾栓２４の後端部には、尾栓飾り２５が取り付けられて、円筒状の尾栓２４が後端部で閉塞されている。
【００２０】
キャップユニット４は、組み上げられた全体構成が図５および図８、図９に示されており、円筒状に成形されたキャップ部材４１に対して、後述するクリップなどの各部材が取り付けられて構成される。
そして、キャップユニット４は、前記したとおり、ボールペンリフィール３の先端筆記部３ａを覆うようにして、軸筒１に対して着脱可能に取り付けられている。
以下、キャップユニット４を構成する各部材について、部品単位で個々に説明する。
【００２１】
キャップ部材４１の単体構成が図１０に示されており、このキャップ部材４１は天部側に向かって外径が除々に細くなるように成形されている。
そして、キャップ部材４１の天部には後で説明するブッシュ材４４が収容されるブッシュ収容凹部４１ａが形成されており、このブッシュ収容凹部４１ａ内には、直線状縁部４１ｂが対向するように形成されることで、内周面が非円形になされている。
【００２２】
これは後で説明するブッシュ材４４に形成された面そぎ部（第１の回り止め部）４４ｂが係止することで、キャップ部材４１に対してブッシュ材４４が回り止めされるように機能するものとなる。なお、ブッシュ収容凹部４１ａの底部には軸孔４１ｃが形成されて、後で説明する天冠４２の軸部が挿通可能となるように構成されている。
また、図１０（Ｂ）に示すようにキャップ部材４１内には、天部に向かって内径を細くする段差部４１ｄが形成されている。この段差部４１ｄは、後で説明する内キャップ４６が収容された場合の内キャップの位置決めとして利用される。
【００２３】
図１１は、天冠４２の部品構成を示しており、この天冠４２は、円板状に形成された鍔部４２ａを頭にして、円柱状の軸部４２ｂが一体成形されており、この軸部４２の端部には雄ねじ４２ｃが形成されている。さらに雄ねじ４２ｃが形成された軸部から突出して、矩形部４２ｄが形成されている。
なお、この矩形部４２ｄは、キャップユニット４を組み上げる際に、先端が二股状（凹状）に形成された治具（ドライバー）を用いて、キャップ部材４１の内側において、天冠４２を回動させるために利用される。
【００２４】
図１２は、クリップ４３の部品構成を示しており、このクリップ４３は、金属素材をＬ字状に成形することで、クリップ本体４３ａと取り付け脚部４３ｃを構成しており、クリップ本体４３ａの先端部側には、取り付け脚部４３ｃの曲げ方向に向かってクリップ玉４３ｂが突出して形成されている。そして、取り付け脚部４３ｃには天冠挿入孔４３ｄが形成されており、この天冠挿入孔４３ｄに天冠の軸部４２ｂが挿入されることで、クリップ４３はキャップ部材４１に取り付けられることになる。
【００２５】
なお、前記天冠挿入孔４３ｄは、図１２（Ｃ）に示すように、円形状の開口に対してクリップ本体４３ａ側に向かって、長方形状の開口が形成されることで非円形になされている。前記長方形状の開口は、後で説明するブッシュ材４４に形成されたクリップ係止突起（第１の回り止め部）４４ｃが嵌まり込むことで、ブッシュ材４４に対してクリップ４３が回り止めされるように機能するものとなる。
【００２６】
図１３は、ブッシュ材４４の部品構成を示している。このブッシュ材４４は、リング状に形成されて、その中央部の開口が前記した天冠４２の軸部４２ｂが通される挿通孔４４ａを構成している。また、ブッシュ材４４の周に沿った１８０度の位置には、それぞれ面そぎ部（第１の回り止め部）４４ｂが形成されており、この面そぎ部４４ｂが前記したキャップ部材４１のブッシュ収容凹部４１ａにおける直線状縁部４１ｂに沿って挿入される。これにより、ブッシュ材４４はキャップ部材４１に対して回り止めされる。
【００２７】
また、ブッシュ材４４には、挿通孔４４ａの軸線方向に向かって一部が突出したクリップ係止突起（第２の回り止め部）４４ｃが形成されている。そして、クリップ係止突起４４ｃが前記したクリップの取り付け脚部４３ｃに形成された天冠挿入孔４３ｄの非円形部分に挿入されることで、クリップ４３はブッシュ材４４に対して回り止めされる。
すなわち、ブッシュ材４４には第１の回り止め部４４ｂと第２の回り止め部４４ｃが形成されることで、このブッシュ材４４を介して、キャップ部材４１とクリップ４３は回り止めされ、天冠４２の軸部４２ｂによってクリップ４３はキャップ部材４１に取り付けられるものとなる。
【００２８】
図１４は、止めリング４５の部品構成を示している。この止めリング４５は、第１筒体４５ａと、この第１筒体４５ａに対して若干外径が太い第２筒体４５ｂが備えられ、第１筒体４５ａの軸孔内には、雌ねじ４５ｃが施されている。そして第１筒体４５ａと第２筒体４５ｂとの境界部分には、鍔状のスプリング受け４５ｄが外周に向かって形成されている。また、第２筒体４５ｂの外周面に沿った１８０度離れた位置には、一対のガイド体４５ｅが突出して形成され、各ガイド体４５ｅは軸方向に沿って若干長く構成されている。  なお、第１筒体４５ａの軸孔内に施された雌ねじ４５ｃには、前記した天冠４２に施された雄ねじ４２ｃが螺合される。また、鍔状のスプリング受け４５ｄは、後で説明するウェーブスプリング５１の受け座として機能するものとなる。
【００２９】
図１５は、図６および図７に示した内キャップ４６と内キャップリング４７およびガータースプリング４８を備えた内キャップユニットを示している。
内キャップ４６には、その前端部側に図１４に示した止めリング４５を収容する円筒状に形成された止めリング収容部４６ａが備えられ、この止めリング収容部４６ａにおける周に沿った１８０度対向する位置には、軸方向に向かって一対の溝部４６ｂが形成されている。この一対の溝部４６ｂは、前記止めリング４５に形成された一対のガイド体４５ｅが収容されることで、止めリング４５が軸方向にスライドするように機能する。
【００３０】
また止めリング収容部４６ａのさらに前端部は、その内径が若干広げられた内径拡大部４６ｃになされており、この内径拡大部４６ｃは、止めリング４５に形成された一対のガイド体４５ｅを一対の溝部４６ｂ側に通すと共に、後で説明するウェーブスプリング５１の配置空間になされる。
また、図１５（Ｄ）に示すように、内キャップ４６の後端部側は、末広がりに内外径が拡大され、後端部の外周面には雄ねじ４６ｄが施されている。
【００３１】
一方、内キャップリング４７の前端部内周面には、雌ねじ４７ａが形成されており、この雌ねじ４７ａが内キャップ４６に形成された前記雄ねじ４６ａに螺合することで、内キャップリング４７は内キャップ４６の後端部側に連結されている。
また、図１５（Ｄ）および図４に示すように、内キャップリング４７は、後端部から内側に向かって除々に肉厚になされ、軸方向のほぼ中央部に形成された段差部４７ｂから先は薄肉状に成形されて、内キャップリング４７は内径が拡大されている。
この構成により、前記段差部４７ｂと内キャップ４６の後端部との間で、環状凹部（段差部と同一符号４７ｂで示す。）が形成されている。そして、この環状凹部４７ｂに沿って、ガータースプリング４８が収容されている。すなわち、環状凹部４７ｂはガータースプリング４８の取り付け凹部を構成している。
【００３２】
前記ガータースプリング４８は、コイルばねを環状に連結したものであり、例えばコイルばねの一端部のコイル径が、先端部に向かって除々に小径となるように成形され、その先端の小径部を、コイルばねの他端部に挿入することで環状に連結することができる。
なお、ガータースプリングには、ラジアルスプリングやアキシャルスプリングと称される斜め巻きコイルばねを用いたものも存在するが、この実施の形態において用いられるガータースプリング４８は、その素材であるコイルばねの巻き方向が、全周にわたり法線方向に巻かれたものを好適に利用することができる。このガータースプリング４８は、後で詳しく説明するが、軸筒２の先端筆記部に対して、キャップユニット４が着脱されるに際して、程よいクリック感が出るように作用するものとなる。
【００３３】
図１６は、カツラ部材４９の部品構成を示している。このカツラ部材４９は、ドラム状板ばねとも呼ばれ、前方円筒部４９ａと後方円筒部４９ｂとの間を、短冊状に成形された複数の弾性部４９ｃによって連結されている。そして、各弾性部４９ｃは内側に膨出するように形成されている。
このカツラ部材４９は、前方円筒部４９ａと後方円筒部４９ｂは、ドラム状に湾曲されたばね性を利用して、キャップ部材４１の後端開口に密着する。また、短冊状に成形されて内側に膨出する弾性部４９ｃは、軸筒２の軸回りに程よく接触して、軸筒２に対するキャップユニット４のがたつき（ぐらつき）が皆無となるように作用する。
【００３４】
図１７は、ウェーブスプリング５１の部品構成を示している。このウェーブスプリング５１は、金属製のばね材を螺旋状に層巻きするようにして成形されており、巻き始め部５１ａと巻き終り部５１ｂは、それぞれ平らな座巻き部５１ｃ，５１ｄを形成している。
そして、螺旋状に層巻きされた部分は、上下に隣接する波形の巻き部の山５１ｅと波形の巻き部の谷５１ｆが対峙するようにして巻き上げられている。したがって、この種のウェーブスプリング５１は、コイルドウェーブスプリングとも呼ばれている。
【００３５】
なお、このウェーブスプリング５１は、上下に隣接する波形の巻き部の山５１ｅと波形の巻き部の谷５１ｆが対峙することで、強力なばね力（ばね定数）を発揮することができ、軸線方向の寸法を小さくすることができるので、コイルスプリングに比較してコンパクト化することができる。
この実施の形態においては、このウェーブスプリング５１を利用して、クリップ４３を元に戻す（クリップ本体４３ａをキャップ部材４１の側面に向かって閉じる）ように作用させるものとなる。
【００３６】
以上説明した図１０〜図１７に示す各部材を用いて、キャップユニット４を組み立てる手順について説明する。
先ず、図１５に示す状態の内キャップ４６、内キャップリング４７およびガータースプリング４８が組まれたユニットにおいて、内キャップ４６に形成された止めリング収容部４６ａ内に、止めリング４５を収容する。この場合、止めリング４５に形成されたガイド体４５ｅが、内キャップ４６の溝部４６ｂ内に入るように装着する。
そして、止めリング４５の第１筒体４５ａの外周に、ウェーブスプリング５１を装着することで、ウェーブスプリング５１はスプリング受け部４５ｄ上に載置される。
【００３７】
続いて、その上にキャップ部材４１を被せて、キャップ部材４１の後部開口内に、カツラ部材４９を挿入することで、内キャップ４６等を含む前記ユニットは、カツラ部材４９によってキャップ部材４１内に取り付けられる。
そして、キャップ部材４１の天部に形成したブッシュ収容凹部４１ａ内に、ブッシュ材４４を装着する。この時、ブッシュ材４４に形成された面そぎ部（第１の回り止め部）４４ｂが、ブッシュ収容凹部４１ａの直線状縁部４１ｂに沿うように、ブッシュ材４４を装着する。
【００３８】
次に、クリップ４３の取り付け脚部４３ｃを、キャップ部材４１の天部に当てると共に、取り付け脚部４３ｃに形成された天冠挿入孔４３ｄにおける非円形（長方形状）部分に、ブッシュ材４４のクリップ係止突起（第２の回り止め部）４４ｃが入るように配置する。続いて、天冠４２の軸部４２ｂを、クリップ４３の天冠挿入孔４３ｄ、ブッシュ材４４の挿通孔４４ａ、キャップ部材４１の軸孔４１ｃを通して装着し、天冠４２の頭部（鍔部）４２ａを手で回転させることで、天冠４２の雄ねじ４２ｃを止めリング４５に形成された雌ねじ４５ｃに捩じ込む。
【００３９】
さらに、キャップ部材４１内に、先端が二股状（凹状）に形成された図示せぬ治具（ドライバー）を挿入し、天冠４２の尾端部に形成された矩形部４２ｄを回動させることで、天冠４２の雄ねじ４２ｃを、止めリング４５の雌ねじ４５ｃに締結することができる。
この時、止めリング４５のガイド体４５ｅが、内キャップ４６の溝部４６ｂに沿ってスライドし、止めリング４５の回転は阻止されるので、天冠４２を効率よく止めリング４５に対して締め付けることができる。
【００４０】
天冠４２を止めリング４５に締め付けることにより、ウェーブスプリング５１は、止めリング４５のスプリング受け部４５ｄと、キャップ部材４１の天部の内面との間に圧着される。これにより、天冠４２には止めリング４５を介して、キャップ部材４１の天部側に引き込む付勢力が与えられる。
したがって、クリップ４３の取り付け脚部４３ｃは、天冠４２の鍔部４２ａによってブッシュ材４４側に押し付けられ、クリップ本体４３ａには、キャップ部材４１の側面に向かって閉じる付勢力が与えられる。
【００４１】
図８および図９は、以上のように構成されたキャップユニット４において、クリップ４３が閉じた状態と開いた状態を示している。
クリップ４３が開かれると、図９に示すようにクリップ４３の取り付け脚部４３ｃが、天冠４２を押し上げる。これにより、天冠の雄ねじ４２ｃに螺合した止めリング４５が引上げられ、止めリング４５のスプリング受け部４５ｄと、キャップ部材４１の天部内面との間に配置された前記ウェーブスプリング５１は圧縮を受ける。
【００４２】
この場合、ウェーブスプリング５１が有する独自の高いばね荷重が作用して、クリップ本体４３ａの開きに対して、程よい荷重を発生させることができ、クリップ４３に対する初期のセット荷重を強く設定することが可能となる。
これにより、クリップ本体４３ａの先端部を無意識に過度に拡開させるのを防止させることができ、クリップの取り付け部分を破損させる問題を回避できる。
また、ウェーブスプリング５１は、前記したとおりばね定数が高いので、スプリングの圧縮方向の全長を短縮させることができ、その結果、スプリングの収容容積を減少させることに寄与できる。これにより、製品の長さ方向の寸法を短縮させること、また外径を縮小させることも可能となる。
【００４３】
一方、図８および図９に示したキャップユニット４には、前記したとおりガータースプリング４８が備えられて、このガータースプリング４８のばね作用を利用して、キャップユニット４が軸筒２に対して着脱されると共に、軸筒２に対して嵌合係止される。
すなわち、軸筒２側にはガータースプリング４８が嵌合係止する係止凹部が形成されており、以下において軸筒２側に施されたガータースプリング４８の係止凹部について、主に図３および図４に基づいて説明する
【００４４】
この実施の形態においては、前記したとおり軸筒２の側面における軸対称の位置に、一対の軸飾り２１が取り付けられている。そして、軸飾り２１の前端部は、軸筒２の緩やかな先細りとなるように形成された部分に位置して、その軸飾り２１の前端部には図４に符号２１ａで示す面取り部が形成されている。
【００４５】
すなわち、この面取り部２１ａと軸筒２との間に形成される凹み部分が、キャップ部材４１に取り付けられたガータースプリング４８の一部が入り込む係止凹部として作用するものとなる。そして、一対の軸飾り２１の前端部にそれぞれ形成された面取り部２１ａによるガータースプリング４８の係止凹部（面取り部と同一の符号２１ａで示す。）は、軸筒２の周方向に沿って、間欠的に形成されている。
【００４６】
したがって、この実施の形態においては、ガータースプリング４８の係止凹部２１ａを結ぶ周方向の外形は、円形以外の異形状になされている。この様な異形状の係止凹部２１ａに対しても、ガータースプリング４８は柔軟に変形して、軸筒側に対する嵌合係止に寄与することができるものとなる。
【００４７】
そして、前記したガータースプリング４８は、冒頭において説明したように、ゴム製のＯリングなどに比較して耐久性に優れた安定した嵌合作用を発揮させることができる。さらに、軸筒に対するキャップユニットの着脱に際して、程よいクリック感が発生することで、操作上において良好な感触を得ることができるなど、前記した発明の効果の欄に記載した作用効果を得ることができる。
【００４８】
なお、以上説明した実施の形態においては、キャップ部材４１の内周面にガータースプリング４８が取り付けられ、軸筒２側にガータースプリングの係止凹部２１ａを形成させた例を示しているが、ガータースプリング４８は、軸筒２側の外周面に沿って取り付け、キャップ部材４１の内周面にガータースプリング４８の係止凹部２１ａを形成させても、同様の作用効果を得ることができる。
また、前記したキャップ部材４１と軸筒２との間に限らず、例えば芯ケースとこの芯ケースの外側に被せるノックカバーとの間においても、さらに他の二部品の間においても、ガータースプリングを介して着脱させることで、同様の作用効果を得ることができる。
【符号の説明】
【００４９】
１      筆記具
２      軸筒（第１部品）
２１    軸飾り
２１ａ  面取り部（ガータースプリング係止凹部）
３      ボールペンリフィール
３ａ    ボールペンチップ
４      キャップユニット
４１    キャップ部材（第２部品）
４１ａ  ブッシュ収容凹部
４２    天冠
４２ａ  鍔部（頭部）
４２ｂ  軸部
４３    クリップ
４３ａ  クリップ本体
４３ｂ  クリップ玉
４３ｃ  取り付け脚部
４４    ブッシュ材
４４ａ  挿通孔
４４ｂ  面そぎ部（第１の回り止め部）
４４ｃ  クリップ係止突起（第２の回り止め部）
４５    止めリング
４５ｄ  スプリング受け部
４６    内キャップ
４６ｄ  雄ねじ
４７    内キャップリング
４７ａ  雌ねじ
４７ｂ  段差部（ガータースプリング取り付け凹部）
４８    ガータースプリング（環状スプリング）
４９    カツラ部材
５１    ウェーブスプリング
【図１】
2019195954.tif 000003
【図２】
2019195954.tif 000004
【図３】
2019195954.tif 000005
【図４】
2019195954.tif 000006
【図５】
2019195954.tif 000007
【図６】
2019195954.tif 000008
【図７】
2019195954.tif 000009
【図８】
2019195954.tif 000010
【図９】
2019195954.tif 000011
【図１０】
2019195954.tif 000012
【図１１】
2019195954.tif 000013
【図１２】
2019195954.tif 000014
【図１３】
2019195954.tif 000015
【図１４】
2019195954.tif 000016
【図１５】
2019195954.tif 000017
【図１６】
2019195954.tif 000018
【図１７】
2019195954.tif 000019